(57)【要約】【課題】コンパクトに折り畳むことができ、しかも軽量であるにも拘らず使用時の安定性が高く、製造および使用も容易な脇支持式傘を提供する。【解決手段】脇支持式傘１０を、一方の脇から頭上を通って他方の脇まで達する長さを有した弾性変形自在な弾性支枠１１と、弾性支枠１１の両端部に配設され、両脇に掛止される１対の脇掛止部１２と、弾性支枠１１のうち、少なくとも頭上を被う部分に展張された傘地１３とにより主に構成したので、コンパクトに折り畳むことができる。しかも、軽量であるにも拘らず、脇支持式傘１０がアーチ形状という高強度な構造をとることで使用時の安定性が高く、また部品点数も少なくて製造が容易であるとともに、使用も容易である。【選択図】図１
2007195932.tif 000002
【特許請求の範囲】
【請求項１】
一方の脇から頭上を通って他方の脇まで達する長さを有した弾性変形自在な弾性支枠と、
該弾性支枠の両端部に配設され、両脇に掛止される１対の脇掛止部と、
前記弾性支枠のうち、少なくとも頭上を被う部分に展張された傘地とを備えた脇支持式傘。
【請求項２】
一方の脇から少なくとも頭上まで達する長さを有した弾性変形自在な弾性支枠と、
該弾性支枠の一端部に設けられ、一方の脇に掛止される脇掛止部と、
前記弾性支枠の他端部に元部が連結され、他方の脇に先端部が掛止される傘支持補助部材と、
前記弾性支枠のうち、少なくとも頭上を被う部分に展張された傘地とを備えた脇支持式傘。
【請求項３】
前記弾性支枠または前記傘地には、使用者の頭部を被うフードが取り付けられた請求項１または請求項２に記載の脇支持式傘。
【請求項４】
前記弾性支枠または前記傘地が、使用者の頭部に当接されるずれ止め用の当接部を有している請求項１〜請求項３のうち、何れか１項に記載の脇支持式傘。
【請求項５】
前記弾性支枠と前記脇掛止部と前記傘地とが、互いに一体形成された傘地板から成る請求項１〜請求項４のうち、何れか１項に記載の脇支持式傘。
【発明の詳細な説明】
【技術分野】
【０００１】
この発明は脇支持式傘、詳しくは使用者の脇に着脱自在に装着可能な脇支持式傘に関する。
【背景技術】
【０００２】
従来、脇挟み式の傘として、例えば特許文献１の雨具が知られている。特許文献１の雨具は、背後部分が一対のゴム帯により連結され、かつ両脇が刺し通される左右一対の肩当て（脇掛止部）を有している。両肩当ての上部間には、多数本の部材からなる門型の骨組みが立設されている。また、骨組みには、布製またはビニールシート製の袋が被せられている。これにより、使用者が頭部を自由に動かせる内部空間を有したドーム型のヘッド部（脇支持式傘）が得られる。
【０００３】
特許文献１の雨具の使用時には、左右の肩当てに両腕を通すことで、門型の骨組みを頭部に被る。その後、骨組みを被うように袋を骨組みに装着する。
【特許文献１】特開２００５−８２９５１号公報
【発明の開示】
【発明が解決しようとする課題】
【０００４】
しかしながら、特許文献１の雨具にあっては、その構成部品として、左右一対の肩当て、一対のゴム帯、多数本の部材からなる骨組みおよび袋を有していた。そのため、部品点数が増加し、製造時の工程数も多くなるとともに重量も嵩み、しかも収納時にコンパクトに納めることができず、使用方法も複雑で面倒であった。さらに使用時には、袋によって使用者の頭部が略完全に被われるので息苦しく、日傘には適さなかった。
【０００５】
この発明は、コンパクトに折り畳むことができ、しかも軽量であるにも拘らず使用時の安定性が高く、製造および使用も容易な脇支持式傘を提供することを目的としている。
また、この発明は、部品点数を少なくすることができる脇支持式傘を提供することを目的としている。
さらに、この発明は、軽量であるにも拘らず、脇支持式傘がアーチ形状という高強度な構造をとり、使用時の安定性が高く、また部品点数も少なくて製造が容易となる脇支持式傘を提供することを目的としている。
【課題を解決するための手段】
【０００６】
請求項１に記載の発明は、一方の脇から頭上を通って他方の脇まで達する長さを有した弾性変形自在な弾性支枠と、該弾性支枠の両端部に配設され、両脇に掛止される１対の脇掛止部と、前記弾性支枠のうち、少なくとも頭上を被う部分に展張された傘地とを備えた脇支持式傘である。
【０００７】
請求項１に記載の発明によれば、一方の脇掛止部を一方の脇に掛止し、その後、脇支持式傘を弾性支枠の弾性力に抗してアーチ形状に湾曲させ、脇支持式傘の長さ方向の中間部により頭上を被った状態を保持して、他方の脇掛止部を他方の脇に掛止する。このとき、弾性支枠の少なくとも頭上を被う部分には傘地が展張される。その結果、長さ方向の両端部が脇に掛止されたアーチ形状の傘が構成される。脇支持式傘を収納する場合には、両脇掛止部による両脇の掛止状態を解除すればよい。
このように、脇支持式傘は、湾曲自在な弾性支枠および傘地から主に構成されているので、コンパクトに折り畳むことができる。しかも、軽量であるにも拘らず、脇支持式傘がアーチ形状という高強度な構造をとることで使用時の安定性は高く、また部品点数が少なくて製造および使用も容易となる。
【０００８】
弾性支枠の素材としては、例えばピアノ線、高力黄銅、超強力炭素鋼鋳鋼、高張力鋼、ばね鋼、半硬鋼、硬鋼などの各種の金属、天然ゴム、ブタジエンゴム、フッ素ゴムといった各種のゴム弾性材料などを採用することができる。その他、熱可塑性エラストマ（スチレンブタジエンエラストマなど）といった弾性を有する各種の合成樹脂を採用することができる。
弾性支枠の長さは、一方の脇から頭上を通って他方の脇まで達する長さである。この長さは使用者の身長などにより異なる。
弾性支枠の外観形状は限定されない。例えば、矩形状、楕円形状、菱形形状などでもよい。
【０００９】
脇掛止部の構造は限定されない。例えば、腕が抜き差し自在に挿着される環構造でもよいし、脇を上下方向または前後方向から挟持する脇挟み構造でもよい。
傘地としては、例えば、各種の天然繊維または各種の合成繊維からなる布帛（織布、不織布、網布）、各種の合成樹脂（ポリエチレン、ポリプロピレンなど）製のシート、各種の金属（ステンレス、鉄、アルミニウム、真鍮、銅、ニッケルなど）箔シートを採用することができる。
傘地は無地でもよいし、色相を多彩にしてもよい。また、透明や半透明でもよいし、有色でもよい。ただし、日除け傘の場合には、有色のものが好ましい。傘地の表面（上面）には、各種の平面的な意匠（文字（広告を含む）、数字、絵、模様など）を付してもよい。
弾性支枠のうち、傘地が展張される範囲は、弾性支枠の全域でもよいし、その一部（頭上を被う部分を含む）でもよい。
【００１０】
請求項２に記載の発明は、一方の脇から少なくとも頭上まで達する長さを有した弾性変形自在な弾性支枠と、該弾性支枠の一端部に設けられ、一方の脇に掛止される脇掛止部と、前記弾性支枠の他端部に元部が連結され、他方の脇に先端部が掛止される傘支持補助部材と、前記弾性支枠のうち、少なくとも頭上を被う部分に展張された傘地とを備えた脇支持式傘である。
【００１１】
請求項２に記載の発明によれば、脇掛止部を一方の脇に掛止し、その後、弾性支枠の弾性力に抗して脇支持式傘を湾曲させながら、弾性支枠の長さ方向の他端部により頭上を被った状態を保持し、傘支持補助部材の他端部を脇に掛止する。このとき、弾性支枠の少なくとも頭上を被う部分に傘地が展張されているので、長さ方向の両端部が両脇に掛止されたアーチ形状の傘が構成される。傘を取り外す場合には、両脇掛止部による両脇の掛止状態を解除すればよい。
【００１２】
このように、脇支持式傘を湾曲自在な弾性支枠および傘地から主に構成したので、例えば傘支持補助部材を湾曲自在な素材（布帛、シート、紐材、線材など）製とすれば、脇支持式傘をコンパクトに折り畳め、しかも脇支持式傘は軽量でかつその製造および使用も容易になる。
この枠支持式傘は、使用時にその一方の端部が脇掛止部により一方の脇に掛止され、他方の端部が紐などから成る傘支持補助部材により他方の脇に掛止され、不完全なアーチ形状を構成するものである。そのため、腕通しの作業は、一対の脇掛止部を有するものの場合より上半身の動きが小さくてすむ一方の脇掛止部のみとなる。その結果、例えば身体の不自由な人の枠支持式傘の使用が容易となる。
【００１３】
脇掛止部が掛止されるのは右脇でもよいし、左脇でもよい。
弾性支枠の他端部と、傘支持補助部材との連結構造は限定されない。例えば、フック、面状ファスナ、線状ファスナ、ホック、クリップなどの掛止部材を使用した掛止構造でもよいし、ホットメルトや接着剤などを用いた接着でもよい。さらに傘支持補助部材が布帛やシートの場合には、縫着による連結でもよい。
傘支持補助部材の素材は限定されない。例えば前記傘地と同じ布帛、シート材などでもよい。または、紐、帯、ワイヤなどの各種の線材、各種の棒材、各種の板材でもよい。傘支持補助部材の形状および大きさは任意である。
【００１４】
請求項３に記載の発明は、前記弾性支枠または前記傘地には、使用者の頭部を被うフードが取り付けられた請求項１または請求項２に記載の脇支持式傘である。
【００１５】
請求項３に記載の発明によれば、弾性支枠または傘地にフードを設けたので、傘が本来有する雨避け、日除けおよび雪除けの効果を高めることができる。
【００１６】
フードの素材としては、例えば各種の天然繊維または各種の合成繊維からなる布帛（織布、不織布、網布）、各種の合成樹脂（ポリエチレン、ポリプロピレンなど）製のシート、各種の金属（ステンレス、鉄、アルミニウム、真鍮、銅、ニッケルなど）箔シートを採用することができる。
フードの形状および大きさは限定されない。フードはひさし付きのものでもよいし、暖簾形状のものでもよい。
【００１７】
請求項４に記載の発明は、前記弾性支枠または前記傘地が、使用者の頭部に当接されるずれ止め用の当接部を有している請求項１〜請求項３のうち、何れか１項に記載の脇支持式傘である。
【００１８】
請求項４に記載の発明によれば、使用中、弾性支枠または傘地が使用者の頭部（例えば頭頂部）に押し当てられる。これにより、使用時の傘の安定性がさらに高まる。
使用者の頭部とは、例えば頭の側部、耳付近そして頭頂部などである。
【００１９】
請求項５に記載の発明は、前記弾性支枠と前記脇掛止部と前記傘地とが、互いに一体形成された傘地板から成る請求項１〜請求項４のうち、何れか１項に記載の脇支持式傘である。
【００２０】
請求項５に記載の発明によれば、弾性支枠と脇掛止部と傘地とが一体形成された傘地板から成るので、部品点数を少なくすることができる。
弾性支枠と脇掛止部と傘地とが一体形成されているとは、弾性支枠と脇掛止部と傘地とが同一素材（例えば各種の板材）または別の素材により容易には分離できない状態であることをいう。例えば、弾性支枠と脇掛止部と傘地とが１枚の薄膜状部材（傘地板）だけで形成されたものがそれに当たる。薄膜状部材の素材としては、各種の合成樹脂、各種の金属などを採用することができる。また、薄膜状部材は、折り曲げられる太陽電池パネルも採用することができる。薄膜状部材の厚さは、弾性変形可能な厚さであれば任意である。
【００２１】
脇掛止部には、脇に挟み込まれる肉厚なゴム製の脇挟み部材を取り付けてもよい。これにより、脇当てブロックが脇つぼに嵌り込み、使用時の脇支持式傘の安定性がさらに高まる。
脇掛止部は、腕に刺し通されるタイプでもよいし、身体の一方向から脇に差し込まれるタイプでもよい。
【発明の効果】
【００２２】
請求項１に記載の発明によれば、脇支持式傘を湾曲自在な弾性支枠および傘地により主に構成したので、コンパクトに折り畳むことができる。しかも、軽量であるにも拘らず、脇支持式傘がアーチ形状という高強度な構造をとることで使用時の安定性が高く、また部品点数も少なくて製造が容易になる。
【００２３】
また、請求項２に記載の発明によれば、脇支持式傘を傘地および湾曲自在な弾性支枠により主に構成したので、例えば傘支持補助部材を湾曲自在とした場合には、脇支持式傘をコンパクトに折り畳むことができ、しかも軽量でかつ製造および使用も容易になる。
そして、弾性支枠の他端部を、傘支持補助部材により他方の脇に掛止するように構成したので、脇支持式傘の着脱時における他方の脇に対する傘支持補助部材の先端部の掛け外れをみこして、使用者の周りに大きな着脱作業スペースを確保する必要がない。
【００２４】
請求項３に記載の発明によれば、弾性支枠または傘地にフードを設けたので、傘が本来有する雨避け、日除けおよび雪除けの効果を高めることができる。
【００２５】
請求項４に記載の発明によれば、使用中、弾性支枠または傘地が使用者の頭部に押し当てられるので、使用時の傘の安定性をさらに高めることができる。
【００２６】
請求項５に記載の発明によれば、弾性支枠と脇掛止部と傘地とが一体形成された傘地板から成るので、脇支持式傘の部品点数の減少、低コスト化、製造の容易性および取り扱いの容易性などが得られる。
【発明を実施するための最良の形態】
【００２７】
以下、この発明の実施例を具体的に説明する。
【実施例１】
【００２８】
以下、図面を参照し、この発明の実施例１の脇支持式傘を説明する。
図１〜図３において、１０Ａはこの発明の実施例１の脇支持式傘で、この脇支持式傘１０Ａは、一方の脇から使用者の頭上を通って他方の脇まで達する長さを有した弾性変形自在な弾性支枠１１と、弾性支枠１１の両端部に配設され、両脇に掛止される１対の脇掛止部１２と、弾性支枠１１のうち、少なくとも頭上を被う部分に展張された傘地１３とを備えている。
【００２９】
以下、これらの構成体を詳細に説明する。
弾性支枠１１は、直径１ｍｍ程度のピアノ線を平面視して略横長な楕円形状に屈曲形成したものである。弾性支枠１１の幅方向の長さは、使用者の頭部の前後方向の長さより長く形成されている。弾性支枠１１には、その全域にわたって黒色（有色）の織布製の傘地１３の外周部が連結されている。具体的には、傘地１３の外周部に輪ゴム１４が袋縫いされ、この輪ゴム１４部分を弾性支枠１１に外方から内側へ包み込んで掛止する構造となっている。これにより、弾性支枠１１の全域に傘地１３が展張される。なお、傘地１３は、傘地１３の外周部を弾性支枠１１の全域に、単に縫着したものでもよい。傘地１３の各長さ方向の両端部には、腕Ａの通し孔部となる脇掛止部１２が弾性支枠１１と一体的に配設されている。また、傘地１３の各長さ方向の両端には、各脇掛止部１２の内側空間と連通するスリットＳがそれぞれ形成されている。弾性支枠１１の両端部の形状は、各スリットＳの形状および脇掛止部１２の形状にそれぞれ従ったものとなっている。
【００３０】
次に、この発明の実施例１に係る脇支持式傘１０Ａの使用方法を説明する。
まず、一方の脇掛止部１２を一方の脇に掛止し、その後、脇支持式傘１０Ａを弾性支枠１１の弾性力に抗してアーチ形状に湾曲させながら、脇支持式傘１０の長さ方向の中間部により頭上を被った状態を保持し、他方の脇掛止部１２を他方の脇に掛止する。具体的には、脇支持式傘１０Ａの両端部を使用者の肩口に当てがい、そのまま脇に向かって強く押し込む。これにより、スリットＳが広がって脇掛止部１２が肩に掛止される。このとき、弾性支枠１１には傘地１３が展張される。その結果、両端部を両脇に固定したアーチ形状の傘が構成される。
脇支持式傘１０Ａを取り外す場合には、脇支持式傘１０Ａの両端部を上方へ強く引っぱることで、スリットＳが広がって脇掛止部１２が脇から外れる。
脇支持式傘１０Ａの収納時、輪ゴム１４を弾性支枠１１から外すことで、脇支持式傘１０Ａをさらにコンパクトに収納することができる。
【００３１】
このように、脇支持式傘１０Ａは、湾曲自在な弾性支枠１１および傘地１３から主に構成されているので、例えばハンドバッグやポケットなどに収納可能な程度まで、コンパクトに折り畳むことができる。しかも、軽量であるにも拘らず、脇支持式傘１０Ａがアーチ形状という高強度な構造となっているため、使用時の安定性が高い。また、部品点数が少なくて製造および使用も容易となる。
脇支持式傘１０Ａは、日傘として好適である。なぜなら、通気性が良くかつ顔の側面が日焼けし難いとともに、頭部にかぶる帽子や笠のように両手が自由に使えるにも拘らず、髪のセットが崩れるおそれもないからである。また、デザイン性も日傘として好適である。
【実施例２】
【００３２】
次に、図４〜図８を参照して、この発明の実施例２に係る脇支持式傘を説明する。
図４〜図７に示すように、実施例２の脇支持式傘１０Ｂは、一方の脇から少なくとも頭上まで達する長さを有した弾性変形自在な弾性支枠１１と、弾性支枠１１の一端部に設けられ、一方の脇に掛止される脇掛止部１２と、弾性支枠１１の他端部にその上端部が連結され、他方の脇にその下端部が掛止される傘支持補助部材１８と、弾性支枠１１のうちの頭上を被う部分に展張された傘地１３とを備えたものである。
略団扇形状を有する弾性支枠１１の一端部には、細首部１１ｂを介してリング形状の脇掛止部１２が一体形成されている。脇掛止部１２には腕Ａが抜き差しされる。脇掛止部１２の先端部には、略円盤形状の脇つぼに挿入される略円盤形状を有した厚肉なゴム製の脇挟み部材１５が取り付けられている。
また、弾性支枠１１には、その他端部付近に、この弾性支枠１１を弾性支枠１１の一端部側へ舌片形状に湾曲させた突出部１９が一体形成されている。突出部１９には、ゴム紐からなる傘支持補助部材１８の上端部に連結された上端フック１８ａが引っ掛けられている。また、傘支持補助部材１８の下端部には、下端フック１８ｂが連結されている。使用時、傘支持補助部材１８の下部を他方の脇の周りに引き回し、その肩の上で下端フック１８ｂを傘支持補助部材１８の下部に引っ掛ける。
【００３３】
脇支持式傘１０Ｂの使用にあっては、脇掛止部１２を一方の脇に掛止し、弾性支枠１１の弾性力に抗して脇支持式傘１１Ｂを湾曲させて頭上を被った状態を保持しながら、上述の方法で傘支持補助部材１８を他方の脇に掛止する。これにより、アーチ形状の傘が構成される。傘を取り外すときには、下端フック１８ｂを傘支持補助部材１８から外し（掛止状態の解除）、その後、一方の脇掛止部１２から一方の腕Ａを抜けばよい。
【００３４】
このように、脇支持式傘１０Ｂは、弾性支枠１１の一端部が脇掛止部１２により一方の脇に掛止され、弾性支枠１１の他端部が傘支持補助部材１８により他方の脇に掛止されるように構成されている。そのため、完全なアーチ形状は得られないものの、紐などから成る傘支持補助部材１８の着脱を行うだけで、弾性支枠１１の他端部の脇への掛止および掛止解除が可能となる。この便利さが、身体の不自由な人の脇支持式傘１０Ｂの使用を容易にする。
【００３５】
図８には、身体の不自由な人への更なる利便性を図った別の脇支持式傘１０Ｂを示す。別の脇支持式傘１０Ｂでは、細首部１１ｂの間隔を弾性支枠１１の一端へ向かうほど徐々に間隔を狭めて行き、最終的には弾性支枠１１の両側部分（ピアノ線）が１本に束ねられている。この束ねた部分を使用者の肩の前部から脇つぼへ向かって円弧を描くように回り込ませ、その先端部に、渦巻き形状の脇掛止部１２を取り付けている。
このように、別の脇支持式傘１０Ｂの脇掛止部１２では、脇の前方から脇つぼに挿入される。したがって、その挿入と離脱が容易になる。脇掛止部１２には、脇つぼに挿入して脇挟みし易いように、肉厚なゴム製の脇挟み部材１５が固定されている。
その他の構成、作用および効果は、実施例１から推測可能な範囲であるので、説明を省略する。
【実施例３】
【００３６】
次に、図９〜図１２を参照して、この発明の実施例３に係る脇支持式傘を説明する。
図９〜図１２に示すように、実施例３の脇支持式傘１０Ｃの特徴は、傘地１３の裏側に、使用者の頭部を被うフードＦが取り付けられ、弾性支枠１１の長さ方向の両端部に、弾性支枠１１の長さ方向の中間部に向かって突出する環状の脇掛止部１２がそれぞれ一体的に湾曲形成された点である。また、弾性支枠１１の長さ方向の両端部には、対応する脇掛止部１２の内側空間と連通する短尺なスリットＳが形成されている。
フードＦは左右の部分フードＦ１に分割されている。両部分フードＦ１の上端部は、弾性支枠１１の長さ方向の中間部において、弾性支枠１１の両側辺に横架された連結ゴム紐２２に連結されている。両部分フードＦ１は、下部がそれぞれ二股形状となっている。両部分フードＦ１の前部は、視界の確保のために顔面を被わないように構成されている。また、両部分フードＦ１の後部は、使用者の後頭部を略完全に被うように構成されている。なお、傘地１３は、弾性変形自在な傘地板１１Ｐに変更してもよい（図１９）。
【００３７】
実施例３の脇支持式傘１０Ｃの使用時には、両スリットＳを両肩口にそれぞれ当てがった状態で、弾性支枠１１の両端部を肩口から脇へ強く押し込む。これにより、弾性支枠１１の両端部が両脇に掛止される。その後、両部分フードＦ１の下端部を、対応する脇に縛りつける。
このように、弾性支枠１１または傘地１３にフードＦを設けたので、傘が本来有する雨避け、日除けおよび雪除けの効果を高めることができる。
その他の構成、作用および効果は、実施例１から推測可能な範囲であるので、説明を省略する。
【実施例４】
【００３８】
次に、図１３〜図１６を参照して、この発明の実施例４に係る脇支持式傘を説明する。
図１３〜図１６に示すように、実施例４の脇支持式傘１０Ｄの特徴は、弾性支枠１１として、各先端部に形成されたリング部１１ａを重ね合わせて互いに連結される１対の部分支枠１１Ａを有するものを採用し、また両部分支枠１１Ａの元部に、脇に挟み込まれる厚肉なゴム製の脇挟み部材１５をそれぞれ取り付け、傘地１３を使用者の頭上を被う盆笠１６とする他、使用者の頭部に当接されるずれ止め用の当接部１７ａを有した点である。
なお、盆傘１６については、この盆傘１６に制約されることはない。頭部を被うものであれば、その形状、素材などは問わない。
両部分支枠１１Ａは、直径１ｍｍ程度の長尺なピアノ線をそれぞれ材料とする。両ピアノ線は、長さ方向の中間部でそれぞれ折り返され、各折り返し部分には後述するリング掛合部１７に掛止されるリング部１１ａがそれぞれ形成されている。また、各ピアノ線の両端は溶接され、この溶接部分の一帯に環構造の脇掛止部１２がそれぞれ形成されている。両脇掛止部１２には、厚肉なゴム製の脇挟み部材１５がそれぞれ固着されている。両脇掛止部１２の先端部には、部分支枠１１Ａの元部側へ突出して、対応する脇挟み部材１５の骨組みとなる舌片形状の突出部が湾曲形成されている。
【００３９】
盆笠１６の中央部の内側には、下端部にフランジ付きの当接部１７ａが設けられた水平断面が円形の短尺なリング掛合部１７が突設されている。リング掛合部１７および当接部１７ａはゴムにより一体成形され、使用者の頭部（頭頂部）に当接部１７ａの下側が当接されて盆笠１６のずれ止めとなる。リング掛合部１７には、両リング部１１ａが重ね合わせた状態でそれぞれ掛止される（図１５および図１６）。これにより、両部分支枠１１Ａから弾性支枠１１が得られると同時に、弾性支枠１１と盆笠１６とが一体化される。
【００４０】
使用時には、盆笠１６を使用者の頭上に配置した状態で、両方の脇つぼに脇つぼ挿入ブロック１５ａをそれぞれ挿入し、これらを脇の締め付け力で挟持する。これにより、アーチ形状に湾曲した両部分支枠１１Ａを支えにして、盆笠１６を頭上にしっかりと配置することができる。脇支持式傘１０Ｄは脇挟み式であるため、脇の力を抜くだけで簡単に脇支持式傘１０Ｄを脇から外すことができる。
その他の構成、作用および効果は、実施例１から推測可能な範囲であるので、説明を省略する。
【実施例５】
【００４１】
以下、図１７〜図１９を参照し、この発明の実施例５の脇支持式傘を説明する。
図１７〜図１９において、実施例５の脇支持式傘１０Ｅの特徴は、弾性支枠１１と脇掛止部１２と傘地１３とを一体形成し、傘地板１１Ｐとした点である。この脇支持式傘１０Ｅは、一方の脇から使用者の頭上を通って他方の脇まで達する長さを有した弾性変形自在な前記傘地板１１Ｐと、傘地板１１Ｐの両端部に配設され、両脇に掛止される１対の脇掛止部１２とを備えている。
【００４２】
以下、これらの構成体を詳細に説明する。
傘地板１１Ｐは、厚さ０．３ｍｍ程度のポリ塩化ビニル製の板（シート）を平面視して略横長な楕円形状に形成したものである。傘地板１１Ｐの長さ方向の両端部に、腕Ａの通し孔部である脇掛止部１２がそれぞれ形成されている。傘地板１１Ｐの長さ方向の中間部の幅は、使用者の頭部の前後方向の長さより長く形成されている。
【００４３】
次に、この発明の実施例５に係る脇支持式傘１０Ｅの使用方法を説明する。
まず、一方の脇掛止部１２を一方の脇に掛止し、その後、脇支持式傘１０Ｅを傘地板１１Ｐの弾性力に抗してアーチ形状に湾曲させながら、脇支持式傘１０Ｅの長さ方向の中間部により頭上を被った状態を保持し、他方の脇掛止部１２を他方の脇に掛止する。このとき、傘地板１１Ｐにより、両端部を両脇に固定したアーチ形状の傘が構成される。傘を取り外す場合には、両脇掛止部１２による両脇の掛止状態を解除すればよい。
【００４４】
このように、脇支持式傘１０Ｅは、湾曲自在な傘地板１１Ｐから主に構成され、かつ使用時にアーチ形状という高強度な構造をとるので、軽量であるにも拘らず、使用中の脇支持式傘１０Ｅの安定性が高い。また、部品点数が少なく、製造および使用も容易となる。
脇支持式傘１０Ｅは、日傘として好適である。なぜなら、通気性が良くかつ顔の側面が日焼けし難いとともに、頭部にかぶる帽子や笠のように両手が自由に使えるにも拘らず、髪のセットが崩れるおそれもないからである。また、デザイン性も日傘として好適である。さらに、従来品のように、使用時に袋により使用者の頭部が略完全に被われることはないので、使用中、息苦しくなるおそれがない。
その他の構成、作用および効果は、実施例１から推測可能な範囲であるので、説明を省略する。
【実施例６】
【００４５】
次に、図２０および図２１を参照して、この発明の実施例６に係る脇支持式傘を説明する。
図２０および図２１に示すように、実施例６の脇支持式傘１０Ｆは、弾性支枠１１と脇掛止部１２と傘地１３とから成る。その特徴は、傘地１３の長さ方向の両端部にスリットＳがそれぞれ存在していない点と、両脇掛止部１２が、元部を除く傘地１３から離反しているとともに、弾性支枠１１の長さ方向の両端において弾性支枠１１の長さ方向を含む面内で、各脇掛止部１２が、その元部を中心として回動自在（屈曲自在）に配設されている点である。
【００４６】
次に、実施例６の脇支持式傘１０Ｆの使用方法を説明する。
まず、弾性支枠１１の長さ方向の両端において、弾性支枠１１の長さ方向を含む面内で、両脇掛止部１２を、それぞれの元部を中心にして略９０°回動させる（図２０（ａ），（ｂ））。これにより、両脇掛止部１２が傘地１３から略直交状態でそれぞれ離間する。その後、両方の腕Ａを、対応する脇掛止部１２に根元まで通す（図２１）。これにより、両脇掛止部１２が両脇に挟持され、アーチ形状の傘が構成される。
このとき、脇支持式傘１０Ｆは、弾性支枠１１の弾性力に抗してアーチ形状に曲げられているので、仮に脇掛止部１２の掛止位置が脇ではなく二の腕の上部であっても、その脇掛止部１２が二の腕から肘方向へ位置ずれするおそれはほどんどない。
その他の構成、作用および効果は、実施例１から推測可能な範囲であるので、説明を省略する。
【図面の簡単な説明】
【００４７】
【図１】この発明の実施例１に係る脇支持式傘の使用状態を示す正面図である。
【図２】この発明の実施例１に係る脇支持式傘の使用状態を示す側面図である。
【図３】この発明の実施例１に係る脇支持式傘の平面図である。
【図４】この発明の実施例２に係る脇支持式傘の使用状態を示す正面図である。
【図５】この発明の実施例２に係る脇支持式傘の使用状態を示す平面図である。
【図６】この発明の実施例２に係る脇支持式傘の使用状態を示す側面図である。
【図７】（ａ）この発明の実施例２に係る脇支持式傘の使用状態を示す図６とは反対側からの側面図である。（ｂ）この発明の実施例２に係る脇支持式傘に用いられる傘支持補助部材の使用形態での側面図である。
【図８】この発明の実施例２に係る他の脇支持式傘の使用状態を示す一部側面図である。
【図９】この発明の実施例３に係る脇支持式傘の使用状態を示す正面図である。
【図１０】この発明の実施例３に係る脇支持式傘の使用状態を示す背面図である。
【図１１】この発明の実施例３に係る脇支持式傘の使用状態を示す側面図である。
【図１２】この発明の実施例３に係る脇支持式傘の使用状態を示す要部断面図である。
【図１３】この発明の実施例４に係る脇支持式傘の使用状態を示す正面図である。
【図１４】（ａ）この発明の実施例４に係る脇支持式傘の使用状態を示す側面図である。（ｂ）脇挟み部材を示す正面図である。
【図１５】（ａ）、（ｂ）この発明の実施例４に係る脇支持式傘のリング部への盆傘の取り付け工程を示すフローシートである。
【図１６】（ａ）〜（ｃ）この発明の実施例４に係る脇支持式傘のリング部への盆傘の取り付け工程を示すフローシートである。
【図１７】この発明の実施例５に係る脇支持式傘の使用状態を示す正面図である。
【図１８】この発明の実施例５に係る脇支持式傘の使用状態を示す側面図である。
【図１９】この発明の実施例５に係る脇支持式傘の使用状態を示す平面図である。
【図２０】（ａ）この発明の実施例６に係る脇支持式傘の平面図、（ｂ）はこの発明の実施例６に係る脇支持式傘の脇掛止部の側面図である。
【図２１】この発明の実施例６に係る脇支持式傘の使用状態を示す正面図である。
【符号の説明】
【００４８】
１０，１０Ａ〜１０Ｆ  脇支持式傘、
１１  弾性支枠、
１１Ｐ  傘地板、
１２  脇掛止部、
１３  傘地、
１７ａ  当接部、
１８  傘支持補助部材、
１８Ａ  引き紐（傘支補助部材）、
Ｆ  フード。
【図１】
2007195932.tif 000003
【図２】
2007195932.tif 000004
【図３】
2007195932.tif 000005
【図４】
2007195932.tif 000006
【図５】
2007195932.tif 000007
【図６】
2007195932.tif 000008
【図７】
2007195932.tif 000009
【図８】
2007195932.tif 000010
【図９】
2007195932.tif 000011
【図１０】
2007195932.tif 000012
【図１１】
2007195932.tif 000013
【図１２】
2007195932.tif 000014
【図１３】
2007195932.tif 000015
【図１４】
2007195932.tif 000016
【図１５】
2007195932.tif 000017
【図１６】
2007195932.tif 000018
【図１７】
2007195932.tif 000019
【図１８】
2007195932.tif 000020
【図１９】
2007195932.tif 000021
【図２０】
2007195932.tif 000022
【図２１】
2007195932.tif 000023
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
弾性を有する１本の線材を大略楕円形状に形成することにより、その楕円の長軸が湾曲するよう弾性変形自在であって、装着者の一方の脇からその頭上を通って他方の脇まで達する長さを有した弾性支枠と、
この弾性支枠のうちの少なくとも頭上を被う部分に展張された傘地と、
この弾性支枠の両端部にそれぞれ設けられ、装着者の両肩から両脇を掛止することで上記弾性支枠をその頭上に保持可能とした１対の脇掛止部とを備え、
上記一対の脇掛止部は、上記弾性支枠の長軸方向の両端部をその楕円の内方に向かって折り曲げられて円形とされるとともに、その楕円の長軸方向の両端部にはスリットが形成された脇支持式傘。
【請求項２】
大略楕円形で、その長軸が湾曲するよう弾性変形自在な一枚の傘地板で構成され、この傘地板の長軸方向の両端部には円形の一対の孔がそれぞれ形成され、これらの孔を装着者の両腕が通されることにより、その頭上を上記傘地板で被うことが可能とした脇支持式傘。
【請求項３】
上記傘地板の長軸方向の両端部には一対の孔につながる一対のスリットがそれぞれ形成された請求項２に記載の脇支持式傘。
【請求項４】
弾性を有する１本の線材を大略楕円形状に形成することにより、その楕円の長軸が湾曲するよう弾性変形自在で、装着者の一方の脇からその頭上にまで達する長さを有した弾性支枠と、
この弾性支枠のうちの少なくとも頭上を被う部分に展張された傘地と、
この弾性支枠の一端部にリング形状に形成され、装着者の一方側の腕が通されることで上記弾性支枠をその頭上に保持可能とした脇掛止部と、
この弾性支枠の他端部にその元部が連結され、装着者の他方側の脇にその先端部が掛止される線材または布帛からなる傘支持補助部材とを備えた脇支持式傘。
【手続補正２】
【補正対象書類名】明細書
【補正対象項目名】全文
【補正方法】変更
【補正の内容】
【発明の詳細な説明】
【技術分野】
【０００１】
この発明は脇支持式傘、詳しくは装着者の脇に着脱自在に装着可能な脇支持式傘に関する。
【背景技術】
【０００２】
従来、脇挟み式の傘として、例えば特許文献１の雨具が知られている。特許文献１の雨具は、背後部分が一対のゴム帯により連結され、かつ両脇が刺し通される左右一対の肩当て（脇掛止部）を有している。両肩当ての上部間には、多数本の部材からなる門型の骨組みが立設されている。また、骨組みには、布製またはビニールシート製の袋が被せられている。これにより、装着者が頭部を自由に動かせる内部空間を有したドーム型のヘッド部（脇支持式傘）が得られる。
【０００３】
特許文献１の雨具の使用時には、左右の肩当てに両腕を通すことで、門型の骨組みを頭部に被る。その後、骨組みを被うように袋を骨組みに装着する。
【特許文献１】特開２００５−８２９５１号公報
【発明の開示】
【発明が解決しようとする課題】
【０００４】
しかしながら、特許文献１の雨具にあっては、その構成部品として、左右一対の肩当て、一対のゴム帯、多数本の部材からなる骨組みおよび袋を有していた。そのため、部品点数が増加し、製造時の工程数も多くなるとともに重量も嵩み、しかも収納時にコンパクトに納めることができず、使用方法も複雑で面倒であった。さらに使用時には、袋によって装着者の頭部が略完全に被われるので息苦しく、日傘には適さなかった。
【０００５】
この発明は、コンパクトに折り畳むことができ、しかも軽量であるにも拘らず使用時の安定性が高く、製造および使用も容易な脇支持式傘を提供することを目的としている。
また、この発明は、部品点数を少なくすることができる脇支持式傘を提供することを目的としている。
さらに、この発明は、軽量であるにも拘らず、脇支持式傘がアーチ形状という高強度な構造をとり、使用時の安定性が高く、また部品点数も少なくて製造が容易となる脇支持式傘を提供することを目的としている。
【課題を解決するための手段】
【０００６】
請求項１に記載の発明は、弾性を有する１本の線材を大略楕円形状に形成することにより、その楕円の長軸が湾曲するよう弾性変形自在であって、装着者の一方の脇からその頭上を通って他方の脇まで達する長さを有した弾性支枠と、この弾性支枠のうちの少なくとも頭上を被う部分に展張された傘地と、この弾性支枠の両端部にそれぞれ設けられ、装着者の両肩から両脇を掛止することで上記弾性支枠をその頭上に保持可能とした１対の脇掛止部とを備え、上記一対の脇掛止部は、上記弾性支枠の長軸方向の両端部をその楕円の内方に向かって折り曲げられて円形とされるとともに、その楕円の長軸方向の両端部にはスリットが形成された脇支持式傘である。
【０００７】
請求項１に記載の発明によれば、一方の脇掛止部を一方の脇に掛止し、その後、脇支持式傘を弾性支枠の弾性力に抗してアーチ形状に湾曲させ、脇支持式傘の長軸方向の中間部により頭上を被った状態を保持して、他方の脇掛止部を他方の脇に掛止する。このとき、弾性支枠の少なくとも頭上を被う部分には傘地が展張される。その結果、長軸方向の両端部が脇に掛止されたアーチ形状の傘が構成される。脇支持式傘を収納する場合には、両脇掛止部による両脇の掛止状態を解除すればよい。
このように、脇支持式傘は、湾曲自在な弾性支枠および傘地から主に構成されているので、コンパクトに折り畳むことができる。しかも、軽量であるにも拘らず、脇支持式傘がアーチ形状という高強度な構造をとることで使用時の安定性は高く、また部品点数が少なくて製造および使用も容易となる。
【０００８】
弾性支枠の素材としては、例えばピアノ線、高力黄銅、超強力炭素鋼鋳鋼、高張力鋼、ばね鋼、半硬鋼、硬鋼などの各種の金属、天然ゴム、ブタジエンゴム、フッ素ゴムといった各種のゴム弾性材料などを採用することができる。その他、熱可塑性エラストマ（スチレンブタジエンエラストマなど）といった弾性を有する各種の合成樹脂を採用することができる。
弾性支枠の長さは、一方の脇から頭上を通って他方の脇まで達する長さである。この長さは装着者の身長などにより異なる。
弾性支枠の外観形状は限定されない。例えば、矩形状、楕円形状、菱形形状などでもよい。
【０００９】
脇掛止部の構造は限定されない。例えば、腕が抜き差し自在に挿着される環構造でもよいし、脇を上下方向または前後方向から挟持する脇挟み構造でもよい。
傘地としては、例えば、各種の天然繊維または各種の合成繊維からなる布帛（織布、不織布、網布）、各種の合成樹脂（ポリエチレン、ポリプロピレンなど）製のシート、各種の金属（ステンレス、鉄、アルミニウム、真鍮、銅、ニッケルなど）箔シートを採用することができる。
傘地は無地でもよいし、色相を多彩にしてもよい。また、透明や半透明でもよいし、有色でもよい。ただし、日除け傘の場合には、有色のものが好ましい。傘地の表面（上面）には、各種の平面的な意匠（文字（広告を含む）、数字、絵、模様など）を付してもよい。
弾性支枠のうち、傘地が展張される範囲は、弾性支枠の全域でもよいし、その一部（頭上を被う部分を含む）でもよい。
【００１０】
また、弾性支枠または傘地には、装着者の頭部を被うフードを取り付けてもよい。こうすれば、傘が本来有する雨避け、日除けおよび雪除けの効果を高めることができる。
フードの素材としては、例えば各種の天然繊維または各種の合成繊維からなる布帛（織布、不織布、網布）、各種の合成樹脂（ポリエチレン、ポリプロピレンなど）製のシート、各種の金属（ステンレス、鉄、アルミニウム、真鍮、銅、ニッケルなど）箔シートを採用することができる。
フードの形状および大きさは限定されない。フードはひさし付きのものでもよいし、暖簾形状のものでもよい。
【００１１】
請求項２に記載の発明は、大略楕円形で、その長軸が湾曲するよう弾性変形自在な一枚の傘地板で構成され、この傘地板の長軸方向の両端部には円形の一対の孔がそれぞれ形成され、これらの孔を装着者の両腕が通されることにより、その頭上を上記傘地板で被うことが可能とした脇支持式傘である。
【００１２】
請求項２に記載の発明によれば、一方の脇掛止部を一方の脇に掛止し、その後、脇支持式傘を傘地板の弾性力に抗してアーチ形状に湾曲させながら、脇支持式傘の長軸方向の中間部により頭上を被った状態を保持し、他方の脇掛止部を他方の脇に掛止する。このとき、傘地板により、両端部を両脇に固定したアーチ形状の傘が構成される。傘を取り外す場合には、両脇掛止部による両脇の掛止状態を解除すればよい。
このように、脇支持式傘は、湾曲自在な傘地板から主に構成され、かつ使用時にアーチ形状という高強度な構造をとるので、軽量であるにも拘らず、使用中の脇支持式傘の安定性が高い。また、部品点数が少なく、製造および使用も容易となる。
【００１３】
傘地板は、弾性支枠と脇掛止部と傘地とを一体形成したものである。ここでの一体形成とは、弾性支枠と脇掛止部と傘地とが同一素材（例えば各種の板材）または別の素材により容易には分離できない状態であることをいう。例えば、弾性支枠と脇掛止部と傘地とが１枚の薄膜状部材（傘地板）だけで形成されたものがそれに当たる。薄膜状部材の素材としては、各種の合成樹脂、各種の金属などを採用することができる。また、薄膜状部材は、折り曲げられる太陽電池パネルも採用することができる。薄膜状部材の厚さは、弾性変形可能な厚さであれば任意である。
【００１４】
脇掛止部には、脇に挟み込まれる肉厚なゴム製の脇挟み部材を取り付けてもよい。これにより、脇当てブロックが脇つぼに嵌り込み、使用時の脇支持式傘の安定性がさらに高まる。
脇掛止部は、腕に刺し通されるタイプである。
【００１５】
請求項３に記載の発明は、上記傘地板の長軸方向の両端部には一対の孔につながる一対のスリットがそれぞれ形成された請求項２に記載の脇支持式傘である。
【００１６】
請求項４に記載の発明は、弾性を有する１本の線材を大略楕円形状に形成することにより、その楕円の長軸が湾曲するよう弾性変形自在で、装着者の一方の脇からその頭上にまで達する長さを有した弾性支枠と、この弾性支枠のうちの少なくとも頭上を被う部分に展張された傘地と、この弾性支枠の一端部にリング形状に形成され、装着者の一方側の腕が通されることで上記弾性支枠をその頭上に保持可能とした脇掛止部と、この弾性支枠の他端部にその元部が連結され、装着者の他方側の脇にその先端部が掛止される線材または布帛からなる傘支持補助部材とを備えた脇支持式傘である。
【００１７】
請求項４に記載の発明によれば、脇掛止部を一方の脇に掛止し、その後、弾性支枠の弾性力に抗して脇支持式傘を湾曲させながら、弾性支枠の長軸方向の他端部により頭上を被った状態を保持し、傘支持補助部材の他端部を脇に掛止する。このとき、弾性支枠の少なくとも頭上を被う部分に傘地が展張されているので、長軸方向の両端部が両脇に掛止されたアーチ形状の傘が構成される。傘を取り外す場合には、両脇掛止部による両脇の掛止状態を解除すればよい。
【００１８】
このように、脇支持式傘を湾曲自在な弾性支枠および傘地から主に構成し、かつ傘支持補助部材を湾曲自在な布帛、線材としたので、脇支持式傘をコンパクトに折り畳め、しかも脇支持式傘は軽量でかつその製造および使用も容易になる。
この脇支持式傘は、使用時にその一方の端部が脇掛止部により一方の脇に掛止され、他方の端部が傘支持補助部材により他方の脇に掛止され、不完全なアーチ形状を構成するものである。そのため、腕通しの作業は、一対の脇掛止部を有するものの場合より上半身の動きが小さくてすむ一方の脇掛止部のみとなる。その結果、例えば身体の不自由な人の脇支持式傘の使用が容易となる。
【００１９】
脇掛止部が掛止されるのは右脇でもよいし、左脇でもよい。
弾性支枠の他端部と、傘支持補助部材との連結構造は限定されない。例えば、フック、面状ファスナ、線状ファスナ、ホック、クリップなどの掛止部材を使用した掛止構造でもよいし、ホットメルトや接着剤などを用いた接着でもよい。さらに、傘支持補助部材が布帛やシートの場合には、縫着による連結でもよい。
傘支持補助部材の形状および大きさは任意である。
【発明の効果】
【００２０】
請求項１に記載の発明によれば、脇支持式傘を湾曲自在な弾性支枠および傘地により主に構成したので、コンパクトに折り畳むことができる。しかも、軽量であるにも拘らず、脇支持式傘がアーチ形状という高強度な構造をとることで使用時の安定性が高く、また部品点数も少なくて製造が容易になる。
【００２１】
請求項２に記載の発明によれば、大略楕円形で、その長軸が湾曲するよう弾性変形自在な一枚の傘地板で脇支持傘を構成したので、脇支持式傘の部品点数の減少、低コスト化、製造の容易性および取り扱いの容易性などが得られる。
【００２２】
請求項４に記載の発明によれば、脇支持式傘を、傘地と、湾曲自在な弾性支枠および傘支持補助部材により構成したので、脇支持式傘をコンパクトに折り畳むことができ、しかも軽量でかつ製造および使用も容易になる。
そして、弾性支枠の他端部を、傘支持補助部材により他方の脇に掛止するように構成したので、脇支持式傘の着脱時における他方の脇に対する傘支持補助部材の先端部の掛け外れをみこして、装着者の周りに大きな着脱作業スペースを確保する必要がない。
【発明を実施するための最良の形態】
【００２３】
以下、この発明の実施例を具体的に説明する。
【実施例１】
【００２４】
以下、図面を参照し、この発明の実施例１の脇支持式傘を説明する。
図１〜図３において、１０Ａはこの発明の実施例１の脇支持式傘で、この脇支持式傘１０Ａは、一方の脇から使用者の頭上を通って他方の脇まで達する長さを有した弾性変形自在な弾性支枠１１と、弾性支枠１１の両端部に配設され、両脇に掛止される１対の脇掛止部１２と、弾性支枠１１のうち、少なくとも頭上を被う部分に展張された傘地１３とを備えている。
【００２５】
以下、これらの構成体を詳細に説明する。
弾性支枠１１は、直径１ｍｍ程度のピアノ線を平面視して略横長な楕円形状に屈曲形成したものである。弾性支枠１１の幅方向の長さは、使用者の頭部の前後方向の長さより長く形成されている。弾性支枠１１には、その全域にわたって黒色（有色）の織布製の傘地１３の外周部が連結されている。具体的には、傘地１３の外周部に輪ゴム１４が袋縫いされ、この輪ゴム１４部分を弾性支枠１１に外方から内側へ包み込んで掛止する構造となっている。これにより、弾性支枠１１の全域に傘地１３が展張される。なお、傘地１３は、傘地１３の外周部を弾性支枠１１の全域に、単に縫着したものでもよい。傘地１３の各長さ方向の両端部には、腕Ａの通し孔部となる脇掛止部１２が弾性支枠１１と一体的に配設されている。また、傘地１３の各長さ方向の両端には、各脇掛止部１２の内側空間と連通するスリットＳがそれぞれ形成されている。弾性支枠１１の両端部の形状は、各スリットＳの形状および脇掛止部１２の形状にそれぞれ従ったものとなっている。
【００２６】
次に、この発明の実施例１に係る脇支持式傘１０Ａの使用方法を説明する。
まず、一方の脇掛止部１２を一方の脇に掛止し、その後、脇支持式傘１０Ａを弾性支枠１１の弾性力に抗してアーチ形状に湾曲させながら、脇支持式傘１０の長さ方向の中間部により頭上を被った状態を保持し、他方の脇掛止部１２を他方の脇に掛止する。具体的には、脇支持式傘１０Ａの両端部を使用者の肩口に当てがい、そのまま脇に向かって強く押し込む。これにより、スリットＳが広がって脇掛止部１２が肩に掛止される。このとき、弾性支枠１１には傘地１３が展張される。その結果、両端部を両脇に固定したアーチ形状の傘が構成される。
脇支持式傘１０Ａを取り外す場合には、脇支持式傘１０Ａの両端部を上方へ強く引っぱることで、スリットＳが広がって脇掛止部１２が脇から外れる。
脇支持式傘１０Ａの収納時、輪ゴム１４を弾性支枠１１から外すことで、脇支持式傘１０Ａをさらにコンパクトに収納することができる。
【００２７】
このように、脇支持式傘１０Ａは、湾曲自在な弾性支枠１１および傘地１３から主に構成されているので、例えばハンドバッグやポケットなどに収納可能な程度まで、コンパクトに折り畳むことができる。しかも、軽量であるにも拘らず、脇支持式傘１０Ａがアーチ形状という高強度な構造となっているため、使用時の安定性が高い。また、部品点数が少なくて製造および使用も容易となる。
脇支持式傘１０Ａは、日傘として好適である。なぜなら、通気性が良くかつ顔の側面が日焼けし難いとともに、頭部にかぶる帽子や笠のように両手が自由に使えるにも拘らず、髪のセットが崩れるおそれもないからである。また、デザイン性も日傘として好適である。
【実施例２】
【００２８】
次に、図４〜図８を参照して、この発明の実施例２に係る脇支持式傘を説明する。
図４〜図７に示すように、実施例２の脇支持式傘１０Ｂは、一方の脇から少なくとも頭上まで達する長さを有した弾性変形自在な弾性支枠１１と、弾性支枠１１の一端部に設けられ、一方の脇に掛止される脇掛止部１２と、弾性支枠１１の他端部にその上端部が連結され、他方の脇にその下端部が掛止される傘支持補助部材１８と、弾性支枠１１のうちの頭上を被う部分に展張された傘地１３とを備えたものである。
略団扇形状を有する弾性支枠１１の一端部には、細首部１１ｂを介してリング形状の脇掛止部１２が一体形成されている。脇掛止部１２には腕Ａが抜き差しされる。脇掛止部１２の先端部には、略円盤形状の脇つぼに挿入される略円盤形状を有した厚肉なゴム製の脇挟み部材１５が取り付けられている。
また、弾性支枠１１には、その他端部付近に、この弾性支枠１１を弾性支枠１１の一端部側へ舌片形状に湾曲させた突出部１９が一体形成されている。突出部１９には、ゴム紐からなる傘支持補助部材１８の上端部に連結された上端フック１８ａが引っ掛けられている。また、傘支持補助部材１８の下端部には、下端フック１８ｂが連結されている。使用時、傘支持補助部材１８の下部を他方の脇の周りに引き回し、その肩の上で下端フック１８ｂを傘支持補助部材１８の下部に引っ掛ける。
【００２９】
脇支持式傘１０Ｂの使用にあっては、脇掛止部１２を一方の脇に掛止し、弾性支枠１１の弾性力に抗して脇支持式傘１１Ｂを湾曲させて頭上を被った状態を保持しながら、上述の方法で傘支持補助部材１８を他方の脇に掛止する。これにより、アーチ形状の傘が構成される。傘を取り外すときには、下端フック１８ｂを傘支持補助部材１８から外し（掛止状態の解除）、その後、一方の脇掛止部１２から一方の腕Ａを抜けばよい。
【００３０】
このように、脇支持式傘１０Ｂは、弾性支枠１１の一端部が脇掛止部１２により一方の脇に掛止され、弾性支枠１１の他端部が傘支持補助部材１８により他方の脇に掛止されるように構成されている。そのため、完全なアーチ形状は得られないものの、紐などから成る傘支持補助部材１８の着脱を行うだけで、弾性支枠１１の他端部の脇への掛止および掛止解除が可能となる。この便利さが、身体の不自由な人の脇支持式傘１０Ｂの使用を容易にする。
【００３１】
図８には、身体の不自由な人への更なる利便性を図った別の脇支持式傘１０Ｂを示す。別の脇支持式傘１０Ｂでは、細首部１１ｂの間隔を弾性支枠１１の一端へ向かうほど徐々に間隔を狭めて行き、最終的には弾性支枠１１の両側部分（ピアノ線）が１本に束ねられている。この束ねた部分を使用者の肩の前部から脇つぼへ向かって円弧を描くように回り込ませ、その先端部に、渦巻き形状の脇掛止部１２を取り付けている。
このように、別の脇支持式傘１０Ｂの脇掛止部１２では、脇の前方から脇つぼに挿入される。したがって、その挿入と離脱が容易になる。脇掛止部１２には、脇つぼに挿入して脇挟みし易いように、肉厚なゴム製の脇挟み部材１５が固定されている。
その他の構成、作用および効果は、実施例１から推測可能な範囲であるので、説明を省略する。
【実施例３】
【００３２】
次に、図９〜図１２を参照して、この発明の実施例３に係る脇支持式傘を説明する。
図９〜図１２に示すように、実施例３の脇支持式傘１０Ｃの特徴は、傘地１３の裏側に、使用者の頭部を被うフードＦが取り付けられ、弾性支枠１１の長さ方向の両端部に、弾性支枠１１の長さ方向の中間部に向かって突出する環状の脇掛止部１２がそれぞれ一体的に湾曲形成された点である。また、弾性支枠１１の長さ方向の両端部には、対応する脇掛止部１２の内側空間と連通する短尺なスリットＳが形成されている。
フードＦは左右の部分フードＦ１に分割されている。両部分フードＦ１の上端部は、弾性支枠１１の長さ方向の中間部において、弾性支枠１１の両側辺に横架された連結ゴム紐２２に連結されている。両部分フードＦ１は、下部がそれぞれ二股形状となっている。両部分フードＦ１の前部は、視界の確保のために顔面を被わないように構成されている。また、両部分フードＦ１の後部は、使用者の後頭部を略完全に被うように構成されている。
なお、傘地１３は、弾性変形自在な傘地板１１Ｐに変更してもよい（図１９）。
【００３３】
実施例３の脇支持式傘１０Ｃの使用時には、両スリットＳを両肩口にそれぞれ当てがった状態で、弾性支枠１１の両端部を肩口から脇へ強く押し込む。これにより、弾性支枠１１の両端部が両脇に掛止される。その後、両部分フードＦ１の下端部を、対応する脇に縛りつける。
このように、弾性支枠１１または傘地１３にフードＦを設けたので、傘が本来有する雨避け、日除けおよび雪除けの効果を高めることができる。
その他の構成、作用および効果は、実施例１から推測可能な範囲であるので、説明を省略する。
【実施例４】
【００３４】
次に、図１３〜図１６を参照して、この発明の実施例４に係る脇支持式傘を説明する。  図１３〜図１６に示すように、実施例４の脇支持式傘１０Ｄの特徴は、弾性支枠１１として、各先端部に形成されたリング部１１ａを重ね合わせて互いに連結される１対の部分支枠１１Ａを有するものを採用し、また両部分支枠１１Ａの元部に、脇に挟み込まれる厚肉なゴム製の脇挟み部材１５をそれぞれ取り付け、傘地１３を使用者の頭上を被う盆笠１６とする他、使用者の頭部に当接されるずれ止め用の当接部１７ａを有した点である。
なお、盆傘１６については、この盆傘１６に制約されることはない。頭部を被うものであれば、その形状、素材などは問わない。
両部分支枠１１Ａは、直径１ｍｍ程度の長尺なピアノ線をそれぞれ材料とする。両ピアノ線は、長さ方向の中間部でそれぞれ折り返され、各折り返し部分には後述するリング掛合部１７に掛止されるリング部１１ａがそれぞれ形成されている。また、各ピアノ線の両端は溶接され、この溶接部分の一帯に環構造の脇掛止部１２がそれぞれ形成されている。両脇掛止部１２には、厚肉なゴム製の脇挟み部材１５がそれぞれ固着されている。両脇掛止部１２の先端部には、部分支枠１１Ａの元部側へ突出して、対応する脇挟み部材１５の骨組みとなる舌片形状の突出部が湾曲形成されている。
【００３５】
盆笠１６の中央部の内側には、下端部にフランジ付きの当接部１７ａが設けられた水平断面が円形の短尺なリング掛合部１７が突設されている。リング掛合部１７および当接部１７ａはゴムにより一体成形され、使用者の頭部（頭頂部）に当接部１７ａの下側が当接されて盆笠１６のずれ止めとなる。リング掛合部１７には、両リング部１１ａが重ね合わせた状態でそれぞれ掛止される（図１５および図１６）。これにより、両部分支枠１１Ａから弾性支枠１１が得られると同時に、弾性支枠１１と盆笠１６とが一体化される。
【００３６】
使用時には、盆笠１６を使用者の頭上に配置した状態で、両方の脇つぼに脇つぼ挿入ブロック１５ａをそれぞれ挿入し、これらを脇の締め付け力で挟持する。これにより、アーチ形状に湾曲した両部分支枠１１Ａを支えにして、盆笠１６を頭上にしっかりと配置することができる。脇支持式傘１０Ｄは脇挟み式であるため、脇の力を抜くだけで簡単に脇支持式傘１０Ｄを脇から外すことができる。
その他の構成、作用および効果は、実施例１から推測可能な範囲であるので、説明を省略する。
【実施例５】
【００３７】
以下、図１７〜図１９を参照し、この発明の実施例５の脇支持式傘を説明する。
図１７〜図１９において、実施例５の脇支持式傘１０Ｅの特徴は、弾性支枠１１と脇掛止部１２と傘地１３とを一体形成し、傘地板１１Ｐとした点である。この脇支持式傘１０Ｅは、一方の脇から使用者の頭上を通って他方の脇まで達する長さを有した弾性変形自在な前記傘地板１１Ｐと、傘地板１１Ｐの両端部に配設され、両脇に掛止される１対の脇掛止部１２とを備えている。
【００３８】
以下、これらの構成体を詳細に説明する。
傘地板１１Ｐは、厚さ０．３ｍｍ程度のポリ塩化ビニル製の板（シート）を平面視して略横長な楕円形状に形成したものである。傘地板１１Ｐの長さ方向の両端部に、腕Ａの通し孔部である脇掛止部１２がそれぞれ形成されている。傘地板１１Ｐの長さ方向の中間部の幅は、使用者の頭部の前後方向の長さより長く形成されている。
【００３９】
次に、この発明の実施例５に係る脇支持式傘１０Ｅの使用方法を説明する。
まず、一方の脇掛止部１２を一方の脇に掛止し、その後、脇支持式傘１０Ｅを傘地板１１Ｐの弾性力に抗してアーチ形状に湾曲させながら、脇支持式傘１０Ｅの長さ方向の中間部により頭上を被った状態を保持し、他方の脇掛止部１２を他方の脇に掛止する。このとき、傘地板１１Ｐにより、両端部を両脇に固定したアーチ形状の傘が構成される。傘を取り外す場合には、両脇掛止部１２による両脇の掛止状態を解除すればよい。
【００４０】
このように、脇支持式傘１０Ｅは、湾曲自在な傘地板１１Ｐから主に構成され、かつ使用時にアーチ形状という高強度な構造をとるので、軽量であるにも拘らず、使用中の脇支持式傘１０Ｅの安定性が高い。また、部品点数が少なく、製造および使用も容易となる。
脇支持式傘１０Ｅは、日傘として好適である。なぜなら、通気性が良くかつ顔の側面が日焼けし難いとともに、頭部にかぶる帽子や笠のように両手が自由に使えるにも拘らず、髪のセットが崩れるおそれもないからである。また、デザイン性も日傘として好適である。さらに、従来品のように、使用時に袋により使用者の頭部が略完全に被われることはないので、使用中、息苦しくなるおそれがない。
その他の構成、作用および効果は、実施例１から推測可能な範囲であるので、説明を省略する。
【実施例６】
【００４１】
次に、図２０および図２１を参照して、この発明の実施例６に係る脇支持式傘を説明する。
図２０および図２１に示すように、実施例６の脇支持式傘１０Ｆは、弾性支枠１１と脇掛止部１２と傘地１３とから成る。その特徴は、傘地１３の長さ方向の両端部にスリットＳがそれぞれ存在していない点と、両脇掛止部１２が、元部を除く傘地１３から離反しているとともに、弾性支枠１１の長さ方向の両端において弾性支枠１１の長さ方向を含む面内で、各脇掛止部１２が、その元部を中心として回動自在（屈曲自在）に配設されている点である。
【００４２】
次に、実施例６の脇支持式傘１０Ｆの使用方法を説明する。
まず、弾性支枠１１の長さ方向の両端において、弾性支枠１１の長さ方向を含む面内で、両脇掛止部１２を、それぞれの元部を中心にして略９０°回動させる（図２０（ａ），（ｂ））。これにより、両脇掛止部１２が傘地１３から略直交状態でそれぞれ離間する。
その後、両方の腕Ａを、対応する脇掛止部１２に根元まで通す（図２１）。これにより、両脇掛止部１２が両脇に挟持され、アーチ形状の傘が構成される。
このとき、脇支持式傘１０Ｆは、弾性支枠１１の弾性力に抗してアーチ形状に曲げられているので、仮に脇掛止部１２の掛止位置が脇ではなく二の腕の上部であっても、その脇掛止部１２が二の腕から肘方向へ位置ずれするおそれはほどんどない。
その他の構成、作用および効果は、実施例１から推測可能な範囲であるので、説明を省略する。
【図面の簡単な説明】
【００４３】
【図１】この発明の実施例１に係る脇支持式傘の使用状態を示す正面図である。
【図２】この発明の実施例１に係る脇支持式傘の使用状態を示す側面図である。
【図３】この発明の実施例１に係る脇支持式傘の平面図である。
【図４】この発明の実施例２に係る脇支持式傘の使用状態を示す正面図である。
【図５】この発明の実施例２に係る脇支持式傘の使用状態を示す平面図である。
【図６】この発明の実施例２に係る脇支持式傘の使用状態を示す側面図である。
【図７】（ａ）この発明の実施例２に係る脇支持式傘の使用状態を示す図６とは反対側からの側面図である。（ｂ）この発明の実施例２に係る脇支持式傘に用いられる傘支持補助部材の使用形態での側面図である。
【図８】この発明の実施例２に係る他の脇支持式傘の使用状態を示す一部側面図である。
【図９】この発明の実施例３に係る脇支持式傘の使用状態を示す正面図である。
【図１０】この発明の実施例３に係る脇支持式傘の使用状態を示す背面図である。
【図１１】この発明の実施例３に係る脇支持式傘の使用状態を示す側面図である。
【図１２】この発明の実施例３に係る脇支持式傘の使用状態を示す要部断面図である。
【図１３】この発明の実施例４に係る脇支持式傘の使用状態を示す正面図である。
【図１４】（ａ）この発明の実施例４に係る脇支持式傘の使用状態を示す側面図である。（ｂ）脇挟み部材を示す正面図である。
【図１５】（ａ）、（ｂ）この発明の実施例４に係る脇支持式傘のリング部への盆傘の取り付け工程を示すフローシートである。
【図１６】（ａ）〜（ｃ）この発明の実施例４に係る脇支持式傘のリング部への盆傘の取り付け工程を示すフローシートである。
【図１７】この発明の実施例５に係る脇支持式傘の使用状態を示す正面図である。
【図１８】この発明の実施例５に係る脇支持式傘の使用状態を示す側面図である。
【図１９】この発明の実施例５に係る脇支持式傘の使用状態を示す平面図である。
【図２０】（ａ）この発明の実施例６に係る脇支持式傘の平面図、（ｂ）はこの発明の実施例６に係る脇支持式傘の脇掛止部の側面図である。
【図２１】この発明の実施例６に係る脇支持式傘の使用状態を示す正面図である。
【符号の説明】
【００４４】
１０，１０Ａ〜１０Ｆ  脇支持式傘、
１１  弾性支枠、
１１Ｐ  傘地板、
１２  脇掛止部、
１３  傘地、
１７ａ  当接部、
１８  傘支持補助部材、
１８Ａ  引き紐（傘支補助部材）、
Ｆ  フード。